(57)【要約】      （修正有）【課題】複数枚のレンズ構成で、成形時の寸法や材料密度の微少なバラツキ、光軸ズレの影響を無くし、製品性能や品質の安定性を低コストで確立した固体撮像装置を提供する。【解決手段】固体撮像素子に結像させるための複数のレンズＡ、Ｂと、前記レンズＡ、Ｂを覆うレンズホルダー１４と、前記レンズＡ、Ｂ間に入れるスペーサー１６又は絞りと、前記レンズＡ、Ｂを固定するためのレンズキャップ１８を有し、レンズホルダー１４の外側に形成されたネジ部１２ｂとベース１２の内側に形成されたネジ部を螺合し固定する固体撮像装置において、レンズホルダー１４にスリット部を設け、前記レンズＢコバ外周部にあるＤカット形状部、ゲート部もしくは外周径より凹んだ形状部を利用して、レンズホルダー１４の外側からスリット部１４ｃを介してレンズＢを、光軸を中心とした回転方向への移動調整ができる固体撮像装置とする。【選択図】図１
2005215369.tif 000002
【特許請求の範囲】
【請求項１】
少なくとも、固体撮像素子が取り付けられた基板と、画像性能を向上させる光学素子と、前記固体撮像素子の外側を覆うベースと、前記固体撮像素子に結像させるための１枚目のレンズＡと、同様な２枚目のレンズＢと、前記レンズＡ、レンズＢを覆うレンズホルダーと、前記レンズＡと前記レンズＢ間に入れるスペーサー又は絞りと、前記レンズＡと前記レンズＢを固定するためのレンズキャップを有し、前記レンズホルダーの外側に形成されたネジ部と前記ベースの内側に形成されたネジ部を螺合し固定する固体撮像装置において、前記レンズホルダーにスリット部を設け、前記レンズＢコバ外周部を利用して、前記レンズホルダーの外側から前記スリット部を介して前記レンズＢを、光軸を中心とした回転方向への移動調整ができることを特徴とする固体撮像装置。
【請求項２】
前記レンズＡ、前記レンズＢの構成が３枚以上であり、前記レンズＡと前記レンズＢ間に入れるスペーサー又は絞りもレンズの枚数に合わせて増える構成であり、前記レンズホルダーに設けるスリットもレンズの枚数に合わせて増やし、複数のレンズを、光軸を中心とした回転方向への移動調整ができることを特徴とする請求項１記載の固体撮像装置。
【請求項３】
少なくとも、固体撮像素子が取り付けられた基板と、画像性能を向上させる光学素子と、前記固体撮像素子の外側を覆うベースと、前記固体撮像素子に結像させるための１枚目のレンズＡと、同様な２枚目のレンズＢと、前記レンズＡ、レンズＢを覆うレンズホルダーと、前記レンズＡと前記レンズＢ間に入れるスペーサー又は絞りと、前記レンズＡと前記レンズＢを固定するためのレンズキャップを有し、前記レンズホルダーの外側に形成されたネジ部と前記ベースの内側に形成されたネジ部を螺合し固定する固体撮像装置において、前記レンズホルダーにスリット部を設け、さらに前記レンズホルダースリット部に相対する前記ベースのネジ部一部に窓を設け、前記レンズホルダー螺合固定時に前記レンズホルダースリット部が前記ベースの窓を介して確認できる位置関係になり、そこから前記レンズＢコバ外周部を利用して前記レンズＢを、光軸を中心とした回転方向への移動調整ができることを特徴とする固体撮像装置。
【請求項４】
前記レンズＡ、前記レンズＢの構成が３枚以上であり、前記レンズＡと前記レンズＢ間に入れるスペーサー又は絞りもレンズの枚数に合わせて増える構成であり、前記レンズホルダーに設けるスリットもレンズの枚数に合わせて増やし、さらに前記レンズホルダースリット部に対応する前記ベースのネジ部にも同数の窓を設け、前記レンズホルダー螺合固定時に前記レンズホルダーの各スリット部が前記ベースのそれぞれの窓を介して確認できる位置関係になり、そこから前記レンズそれぞれのコバ外周部を利用して、複数のレンズを、光軸を中心とした回転方向への移動調整ができることを特徴とする請求項３記載の固体撮像装置。
【請求項５】
レンズコバ外周部に、外周径より凹んだ形状部を形成したことを特徴とする請求項１から４記載のいずれかの固体撮像装置。
【発明の詳細な説明】
【技術分野】
【０００１】
本発明は固体撮像素子とレンズを備えた固体撮像装置に関するものである。
【背景技術】
【０００２】
従来デジタルカメラなどの撮像用機器では、ＣＣＤなどの撮像素子を保持する筐体部（ベース）と光学レンズを保持する鏡筒部（レンズホルダー）とを別部品とするとともに、筐体部と鏡筒部とをネジ機構にて螺合しレンズの位置を動かしてフォーカス調整を行うようになっている。
【０００３】
上記のような構成の固体撮像装置に関しては、多くの文献により開示されている。（例えば特許文献１、特許文献２、特許文献３参照）
【０００４】
図７は従来の固体撮像装置の断面図である。プリント配線基板８０には固体撮像素子８１が搭載されており、その外周を覆うようにベース８２が配置されている。前記ベース８２の上部にある筒部８２ａの中心軸Ａは、前記固体撮像素子８１の受光部センターと合致するように、前記ベース８２が位置決め固定されている。前記ベース８２には光学フィルター８３が接着固定されている。前記ベース８２の前記筒部８２ａの内周にはネジ部８２ｂが、中心軸Ａに対して同軸に形成されている。レンズホルダー８４の開口部８４ａの中心軸Ｂに光軸を合わせるように、前記固体撮像素子８１に結像させるための１枚目のレンズ８５が組み込まれ、次にスペーサー８６が入り、前記レンズホルダー８４の開口部８４ａ中心軸Ｂに光軸を合わせるように、前記固体撮像素子８１に結像させるための２枚目のレンズ８７が組み込まれている。前記スペーサー８６は前記レンズ８５と前記レンズ８７の間隔を決めるためのものである。前記レンズ８５、前記レンズ８７はレンズキャップ８８により保持され、前記レンズキャップ８８は前記レンズホルダー８４に接着固定されている。前記レンズホルダー８４の外側部にはネジ部８４ｂが、前記開口部８４ａの中心軸Ｂに対して同軸に形成されている。前記レンズホルダー８４のネジ部８４ｂと前記ベース８２のネジ部８２ｂを螺合させ、前記レンズホルダー８４前記開口部８４ａの中心軸Ｂと前記ベース８２の中心軸Ａを合わせながら組み込むことにより、前記レンズ８５、前記レンズ８６の光軸と前記固体撮像素子８１の受光部センターが合致することになる。前記レンズホルダー８４を螺合移動させフォーカス調整を行い、適正な位置で接着固定されている。
【特許文献１】特開２０００−１９６９２５号公報（第２−４頁、第３図、第６図）
【特許文献２】特開２００２−００６３７８号公報（第２−５頁、第１−２図）
【特許文献３】特開２００３−２３４９２７号公報（第２−４頁、第１図）
【発明の開示】
【発明が解決しようとする課題】
【０００５】
しかしながら、上記のような構造ではレンズ８５、レンズ８７の成形時の寸法や材料密度の微少なバラツキ、光軸ズレを無くすことは難しく、歩留りも悪く不具合品は組込みし直したり、部品交換が必要となる。これは、製品性能や品質の安定が不可欠の製品としては非常に不利である。これらを低コストで解決することは重要な課題である。
【課題を解決するための手段】
【０００６】
少なくとも、固体撮像素子が取り付けられた基板と、画像性能を向上させる光学素子と、前記固体撮像素子の外側を覆うベースと、前記固体撮像素子に結像させるための１枚目のレンズＡと、同様な２枚目のレンズＢと、前記レンズＡ、レンズＢを覆うレンズホルダーと、前記レンズＡと前記レンズＢ間に入れるスペーサー又は絞りと、前記レンズＡと前記レンズＢを固定するためのレンズキャップを有し、前記レンズホルダーの外側に形成されたネジ部と前記ベースの内側に形成されたネジ部を螺合し固定する固体撮像装置において、前記レンズホルダーにスリット部を設け、前記レンズＢコバ外周部（好ましくは、外周径より凹んだ形状部（例えば、レンズＢコバ外周部にあるＤカット形状部、ゲート部、凹部等、以下同じ））を利用して、前記レンズホルダーの外側から前記スリット部を介して前記レンズＢを、光軸を中心とした回転方向への移動調整ができることを特徴とする固体撮像装置とする。
【０００７】
前記レンズＡ、前記レンズＢの構成が３枚以上であり、前記レンズＡと前記レンズＢ間に入れるスペーサー又は絞りもレンズの枚数に合わせて増える構成であり、前記レンズホルダーに設けるスリットもレンズの枚数に合わせて増やし、複数のレンズを、光軸を中心とした回転方向への移動調整ができることを特徴とする固体撮像装置とする。
【０００８】
少なくとも、固体撮像素子が取り付けられた基板と、画像性能を向上させる光学素子と、前記固体撮像素子の外側を覆うベースと、前記固体撮像素子に結像させるための１枚目のレンズＡと、同様な２枚目のレンズＢと、前記レンズＡ、レンズＢを覆うレンズホルダーと、前記レンズＡと前記レンズＢ間に入れるスペーサー又は絞りと、前記レンズＡと前記レンズＢを固定するためのレンズキャップを有し、前記レンズホルダーの外側に形成されたネジ部と前記ベースの内側に形成されたネジ部を螺合し固定する固体撮像装置において、前記レンズホルダーにスリット部を設け、さらに前記レンズホルダースリット部に相対する前記ベースのネジ部一部に窓を設け、前記レンズホルダー螺合固定時に前記レンズホルダースリット部が前記ベースの窓を介して確認できる位置関係になり、そこから前記レンズＢコバ外周部を利用して前記レンズＢを、光軸を中心とした回転方向への移動調整ができることを特徴とする固体撮像装置とする。
【０００９】
前記レンズＡ、前記レンズＢの構成が３枚以上であり、前記レンズＡと前記レンズＢ間に入れるスペーサー又は絞りもレンズの枚数に合わせて増える構成であり、前記レンズホルダーに設けるスリットもレンズの枚数に合わせて増やし、さらに前記レンズホルダースリット部に対応する前記ベースのネジ部にも同数の窓を設け、前記レンズホルダー螺合固定時に前記レンズホルダーの各スリット部が前記ベースのそれぞれの窓を介して確認できる位置関係になり、そこから前記レンズそれぞれのコバ外周部を利用して、複数のレンズを、光軸を中心とした回転方向への移動調整ができることを特徴とする固体撮像装置とする。
【発明の効果】
【００１０】
本発明によれば、レンズの成形時の寸法や材料密度の微少なバラツキ、光軸ズレを、組み立て後に最良の状態に一つ一つ合わせ込むことができ、製品性能や品質の安定性が向上することになる。
【００１１】
組み込みし直していた時間を短縮でき、歩留りも向上するため、コスト面でも非常に有利になる。
【発明を実施するための最良の形態】
【００１２】
ベース及び／又はレンズホルダーに、レンズ位置に合わせたスリットを設ける。
【実施例１】
【００１３】
図１は本発明に係わる固体撮像装置の断面図である。プリント配線基板１０（基板はプリント配線基板に限定されるものではないが、以下の実施形態ではプリント基板とする）には固体撮像素子１１が搭載されており、その外周を覆うようにベース１２が配置されている。前記ベース１２の上部にある筒部１２ａの中心軸Ａは、前記固体撮像素子１１の受光部センターと合致するように、前記ベース１２が位置決め固定されている。前記ベース１２には光学フィルター１３が接着固定されている。前記ベース１２筒部１２ａの内周にはネジ部１２ｂが、中心軸Ａに対して同軸に形成されている。
【００１４】
レンズホルダー１４の開口部１４ａの中心軸Ｂに光軸を合わせるようにレンズ１５が組み込まれ、次にスペーサー１６が入り、前記レンズホルダー１４の開口部１４ａ中心軸Ｂに光軸を合わせるように、レンズ１７が組み込まれている。前記スペーサー１６は前記レンズ１５と前記レンズ１７の間隔を決めるためのものである。前記レンズ１５、前記レンズ１７はレンズキャップ１８により保持され、前記レンズキャップ１８は前記レンズホルダー１４に接着固定されている。前記レンズホルダー１４の外側部にはネジ部１４ｂが、前記開口部１４ａの中心軸Ｂに対して同軸に形成されている。前記レンズホルダー１４のネジ部１４ｂと前記ベース１２のネジ部１２ｂを螺合させ、前記レンズホルダー１４の前記開口部１４ａの中心軸Ｂと前記ベース１２の中心軸Ａを合わせながら組み込むことにより、前記レンズ１５、前記レンズ１７の光軸と前記固体撮像素子１１の受光部センターが合致することになる。前記レンズホルダー１４を螺合移動させフォーカス調整を行い、適正な位置で接着固定されている。前記レンズホルダー１４には、スリット部１４ｃが形成されており、前記レンズ１７のコバ外周部に設けたＤカット形状部１７ａに相対している。更に前記ベース１２の前記筒部１２ａには、前記レンズホルダー１４のスリット部１４ｃに相対する位置に窓部１２ｃが形成されており、前記窓部１２ｃ、前記スリット部１４ｃを介して、細長い調整治具１９を前記Ｄカット形状部１７ａに引っかけて光軸を中心に回転させる。この時実際の映像を観ながら調整し、画像性能を更に合わせ込む。最後に前記ベース１２の前記窓部１２ｃを黒色接着剤（図無し）あるいは黒色嵌合部品（図無し）で塞ぎ、シールドする。
【実施例２】
【００１５】
図２も本発明に係わる別の実施形態による固体撮像装置のレンズユニットの断面図である。レンズホルダー２０の開口部２０ａの中心軸Ｂに光軸を合わせるようにレンズ２１が組み込まれ、次にスペーサー２２が入り、前記レンズホルダー２０の開口部２０ａ中心軸Ｂに光軸を合わせるように、レンズ２３が組み込まれている。前記スペーサー２２は前記レンズ２１と前記レンズ２３の間隔を決めるためのものである。前記レンズ２１、前記レンズ２３はレンズキャップ２４により保持され、前記レンズキャップ２４は前記レンズホルダー２０に接着固定されている。前記レンズホルダー２０の外側部にはネジ部２０ｂが、前記開口部２０ａの中心軸Ｂに対して同軸に形成されている。前記レンズホルダー２０には、スリット部２０ｃが形成されており、前記レンズ２３のコバ外周部に設けたＤカット形状部２３ａに相対している。前記スリット部２０ｃを介して、細長い調整治具２５を前記Ｄカット形状部２３ａに引っかけて光軸を中心に回転させる。この時解像投影機の画像、またはＭＴＦ（Modulation Transfer Function）測定装置などの評価画像を観ながら調整することができる。
【００１６】
図３は本発明に係わる固体撮像装置の断面図である。プリント配線基板３０には固体撮像素子３１が搭載されており、その外周を覆うようにベース３２が配置されている。前記ベース３２の上部にある筒部３２ａの中心軸Ａは、前記固体撮像素子３１の受光部センターと合致するように、前記ベース３２が位置決め固定されている。前記ベース３２には光学フィルター３３が接着固定されている。前記ベース３２筒部３２ａの内周にはネジ部３２ｂが、中心軸Ａに対して同軸に形成されている。図２で調整済みのレンズユニットの、前記レンズホルダー２０のネジ部２０ｂと前記ベース３２のネジ部３２ｂを螺合させ、前記レンズホルダー２０前記開口部２０ａの中心軸Ｂと前記ベース３２の中心軸Ａを合わせながら組み込むことにより、前記レンズ２１、前記レンズ２３の光軸と前記固体撮像素子３１の受光部センターが合致することになる。前記レンズホルダー２０を螺合移動させフォーカス調整を行い、適正な位置で接着固定されている。
【実施例３】
【００１７】
図４も本発明に係わる別の実施形態による固体撮像装置のレンズユニットの断面図である。レンズホルダー４０の開口部４０ａの中心軸Ｂに光軸を合わせるように１枚目のレンズ４１が組み込まれ、次にスペーサー４２が入り、前記レンズホルダー４０の開口部４０ａ中心軸Ｂに光軸を合わせるように、２枚目のレンズ４３が組み込まれている。前記スペーサー４２は前記レンズ４１と前記レンズ４３の間隔を決めるためのものである。次にスペーサー４４が３枚目のレンズ４５のリブ４５ａの内側に挿入された状態で、前記レンズホルダー４０の前記開口部４０ａ中心軸Ｂに光軸を合わせるように、前記レンズ４５が組み込まれている。前記レンズ４１、前記レンズ４３、前記レンズ４５はレンズキャップ４６により保持され、前記レンズキャップ４６は前記レンズホルダー４０に接着固定されている。前記レンズホルダー４０の外側部にはネジ部４０ｂが、前記開口部４０ａの中心軸Ｂに対して同軸に形成されている。前記レンズホルダー４０には、スリット部４０ｃ、４０ｄが形成されており、前記レンズ４３、前記レンズ４５のコバ外周部に設けたＤカット形状部４３ａ、Ｄカット形状部４５ｂにそれぞれ相対している。前記スリット部４０ｃ、４０ｄを介して、細長い調整治具４７、４８を前記Ｄカット形状部４３ａ、前記Ｄカット形状部４５ｂにそれぞれ引っかけて光軸を中心に回転させる。この時解像投影機の画像、またはＭＴＦ測定装置などの評価画像を観ながら調整することができる。前記レンズ４３、前記レンズ４５を交互に調整しても良いし、同時に調整してもよい。
【００１８】
図５も本発明に係わる固体撮像装置の断面図である。プリント配線基板５０には固体撮像素子５１が搭載されており、その外周を覆うようにベース５２が配置されている。前記ベース５２の上部にある筒部５２ａの中心軸Ａは、前記固体撮像素子５１の受光部センターと合致するように、前記ベース５２が位置決め固定されている。前記ベース５２には光学フィルター５３が接着固定されている。前記ベース５２筒部５２ａの内周にはネジ部５２ｂが、中心軸Ａに対して同軸に形成されている。図４で調整済みのレンズユニットの、前記レンズホルダー４０のネジ部４０ｂと前記ベース５２のネジ部５２ｂを螺合させ、前記レンズホルダー４０前記開口部４０ａの中心軸Ｂと前記ベース５２の中心軸Ａを合わせながら組み込むことにより、前記レンズ４１、前記レンズ４３、前記レンズ４５の光軸と前記固体撮像素子５１の受光部センターが合致することになる。前記レンズホルダー４０を螺合移動させフォーカス調整を行い、適正な位置で接着固定されている。
【実施例４】
【００１９】
図６も本発明に係わる別の実施形態による固体撮像装置の断面図である。プリント配線基板６０には固体撮像素子６１が搭載されており、その外周を覆うようにベース６２が配置されている。前記ベース６２の上部にある筒部６２ａの中心軸Ａは、前記固体撮像素子６１の受光部センターと合致するように、前記ベース６２が位置決め固定されている。前記ベース６２には光学フィルター６３が接着固定されている。前記ベース６２筒部６２ａの内周にはネジ部６２ｂが、中心軸Ａに対して同軸に形成されている。
【００２０】
レンズホルダー６４の開口部６４ａの中心軸Ｂに光軸を合わせるように１枚目のレンズ６５が組み込まれ、次にスペーサー６６が入り、前記レンズホルダー６４の開口部６４ａ中心軸Ｂに光軸を合わせるように、２枚目のレンズ６７が組み込まれている。前記スペーサー６６は前記レンズ６５と前記レンズ６７の間隔を決めるためのものである。次にスペーサー６８が３枚目のレンズ６９のリブ６９ａの内側に挿入された状態で、前記レンズホルダー６４の前記開口部６４ａの中心軸Ｂに光軸を合わせるように、前記レンズ６９が組み込まれている。前記レンズ６５、前記レンズ６７、前記レンズ６９はレンズキャップ７０により保持され、前記レンズキャップ７０は前記レンズホルダー６４に接着固定されている。前記レンズホルダー６４の外側部にはネジ部６４ｂが、前記開口部６４ａの中心軸Ｂに対して同軸に形成されている。前記レンズホルダー６４のネジ部６４ｂと前記ベース６２のネジ部６２ｂを螺合させ、前記レンズホルダー６４前記開口部６４ａの中心軸Ｂと前記ベース６２の中心軸Ａを合わせながら組み込むことにより、前記レンズ６５、前記レンズ６７、前記レンズ６９の光軸と前記固体撮像素子６１の受光部センターが合致することになる。前記レンズホルダー６４を螺合移動させフォーカス調整を行い、適正な位置で接着固定されている。前記レンズホルダー６４には、スリット部６４ｃ、６４ｄが形成されており、前記レンズ６７、前記レンズ６９のコバ外周部に設けたＤカット形状部６７ａ、Ｄカット形状部６９ｂにそれぞれ相対している。更に前記ベース６２の前記筒部６２ａには、前記レンズホルダー６４のスリット部６４ｃ、６４ｄに相対する位置に窓部６２ｃ、窓部６２ｄが形成されており、前記窓部６２ｃ、前記スリット部６４ｃ、前記窓部６２ｄ、前記スリット部６４ｄを介して、細長い調整治具７１、７２を前記Ｄカット形状部６７ａ、前記Ｄカット形状部６９ｂに引っかけて光軸を中心に回転させる。この時実際の映像を観ながら調整し、画像性能を更に合わせ込む。最後に前記ベース６２の前記窓部６２ｃ、前記窓部６２ｄをそれぞれ黒色接着剤（図無し）あるいは黒色嵌合部品（図無し）で塞ぎ、シールドする。
【図面の簡単な説明】
【００２１】
【図１】本発明の一実施形態を示す固体撮像装置の断面図。（実施例１）
【図２】本発明の別の実施形態を示す固体撮像装置のレンズユニットの断面図。（実施例２）
【図３】本発明の別の実施形態を示す固体撮像装置の断面図。（実施例２）
【図４】本発明の別の実施形態を示す固体撮像装置のレンズユニットの断面図。（実施例３）
【図５】本発明の別の実施形態を示す固体撮像装置の断面図。（実施例３）
【図６】本発明の別の実施形態を示す固体撮像装置の断面図。（実施例４）
【図７】従来の技術による固体撮像装置の断面図。
【符号の説明】
【００２２】
１０      プリント配線基板
１１      固体撮像素子
１２      ベース
１２ａ    筒部
１２ｂ    ネジ部
１２ｃ    窓部
１３      光学フィルター
１４      レンズホルダー
１４ａ    開口部
１４ｂ    ネジ部
１４ｃ    スリット部
１５      レンズ
１６      スペーサー
１７      レンズ
１７ａ    Ｄカット形状部
１８      レンズキャップ
１９      調整治具
２０      レンズホルダー
２０ａ    開口部
２０ｂ    ネジ部
２０ｃ    スリット部
２１      レンズ
２２      スペーサー
２３      レンズ
２３ａ    Ｄカット形状部
２４      レンズキャップ
２５      調整治具
３０      プリント配線基板
３１      固体撮像素子
３２      ベース
３２ａ    筒部
３２ｂ    ネジ部
３３      光学フィルター
４０      レンズホルダー
４０ａ    開口部
４０ｂ    ネジ部
４０ｃ    スリット部
４０ｄ    スリット部
４１      レンズ
４２      スペーサー
４３      レンズ
４３ａ    Ｄカット形状部
４４      スペーサー
４５      レンズ
４５ａ    リブ
４５ｂ    Ｄカット形状部
４６      レンズキャップ
４７      調整治具
４８      調整治具
５０      プリント配線基板
５１      固体撮像素子
５２      ベース
５２ａ    筒部
５２ｂ    ネジ部
５３      光学フィルター
６０      プリント配線基板
６１      固体撮像素子
６２      ベース
６２ｂ    ネジ部
６２ｃ    窓部
６２ｄ    窓部
６３      光学フィルター
６４      レンズホルダー
６４ａ    開口部
６４ｂ    ネジ部
６４ｃ    スリット部
６４ｄ    スリット部
６５      レンズ
６６      スペーサー
６７      レンズ
６７ａ    Ｄカット形状部
６８      スペーサー
６９      レンズ
６９ａ    リブ
６９ｂ    Ｄカット形状部
７０      レンズキャップ
７１      調整治具
７２      調整治具
８０      プリント配線基板
８１      固体撮像素子
８２      ベース
８２ａ    筒部
８２ｂ    ネジ部
８３      光学フィルター
８４      レンズホルダー
８４ａ    開口部
８４ｂ    ネジ部
８５      レンズ
８６      スペーサー
８７      レンズ
８８      レンズキャップ
【図１】
2005215369.tif 000003
【図２】
2005215369.tif 000004
【図３】
2005215369.tif 000005
【図４】
2005215369.tif 000006
【図５】
2005215369.tif 000007
【図６】
2005215369.tif 000008
【図７】
2005215369.tif 000009